(57)【要約】【課題】  １つの電話機を用い、該電話機のダイヤル種別に拘らず、回線種別が異なる複数の収容回線のいずれからも通話可能なファクシミリ装置を提供する。【解決手段】  ワイドギャップリレー３１１ａを二次側に切換え、電話機４０からの入力ダイヤル番号をダイヤル検出部３１６で検出し、ダイヤル記憶部３１７に記憶する。回線１が空きの場合、ＣＨ１側のＣＰＵ３０６ａはダイヤル記憶部３１７に記憶されたダイヤル番号に基づきＭＯＤＥＭ３０５ａ、ＤＡＡ３０４ａを介して回線１に対する発呼制御を行う。回線が２空きの場合、ＣＨ１側のＣＰＵ３０６ａはダイヤル記憶部３１７に記憶されたダイヤル番号に基づく発呼指示をＣＨ２側のＣＰＵ３０６ｂに通知し、該ＣＰＵ３０６ｂは通知されたダイヤル番号に基づきＭＯＤＥＭ３０５ｂ、ＤＡＡ３０４ｂを介して回線２に対する発呼制御を行う。【選択図】  図３
2010177769.tif 000002
【特許請求の範囲】
【請求項１】
回線を収容する一次側に網制御装置が設けられ、該一次側と電気的に分離される二次側に変復調装置が設けられる複数の画像伝送制御用の基板を有し、前記基板のうちの１つが電話機を収容した主制御基板、他の基板が従制御基板として実装されて成る網インタフェース部を有し、
前記主制御基板は、
一次側に設けられ、前記電話機と二次側に設けられる給電手段及びダイヤル検出手段または収容した回線との接続を切換える切換手段と、
前記電話機を二次側に接続するように前記切換手段を切換え、前記給電手段からの内部給電により動作する前記電話機の発呼操作により入力されるダイヤル番号を前記ダイヤル検出手段により検出させ、該ダイヤル検出手段により検出されたダイヤル番号に基づき、前記変復調装置及び前記網制御装置を介して前記収容回線に対する発呼制御を行う発呼制御手段と、
前記主制御基板の収容回線以外の回線により発呼する場合、該回線を収容する前記従制御基板に対し、前記ダイヤル検出手段により検出されたダイヤル番号に基づく発呼指示を通知する通知手段と
を具備し、
前記従制御基板は、
前記通知手段から通知される発呼指示に含まれるダイヤル番号に基づいて前記変復調装置及び前記網制御装置を介して前記収容回線に対する当該従制御基板内での発呼制御を行う従制御基板内発呼制御手段
を具備するファクシミリ装置。
【請求項２】
前記切換手段は、
一次側と二次側を電気的に分離する離間距離が確保された切換接点構造を有するワイドギャップリレーで構成される請求項１記載のファクシミリ装置。
【請求項３】
前記ダイヤル検出手段は、
プッシュボタン式の前記電話機が前記発呼操作により送出するダイヤルトーン信号〔ＤＴＭＦ（Ｄｕａｌ  Ｔｏｎｅ  Ｍｕｌｔｉｐｌｅ  Ｆｒｅｑｕｅｎｃｙ）〕を受信するＤＴＭＦレシーバを含む
請求項１または２記載のファクシミリ装置。
【請求項４】
前記ダイヤル検出手段は、
ダイヤル・パルス式の前記電話機が前記発呼操作により送出するダイヤルパルスによるオフフック信号の連続遮断を検出するフック検出手段を含む
請求項１乃至３のいずれか記載のファクシミリ装置。
【請求項５】
前記各基板に収容される各回線のうちから利用者が指定する任意の回線を選択する回線選択手段
を具備し、
前記発呼制御手段は、前記回線選択手段により選択された回線が自基板の収容回線である場合に前記発呼指示を行い、
前記通知手段は、前記回線選択手段により選択された回線が他のいずれかの前記従制御基板に収容された回線である場合に該従制御基板に対して前記発呼指示の通知を行う
請求項１乃至４のいずれか記載のファクシミリ装置。
【請求項６】
前記各基板に収容される各回線のうちの空き回線を検出する空き回線検出手段
を具備し、
前記発呼制御手段は、前記空き回線検出手段により検出された空き回線が自基板の収容回線である場合に前記発呼指示を行い、
前記通知手段は、前記空き回線検出手段により検出された回線が他のいずれかの前記従制御基板に収容された回線である場合に該従制御基板に対して前記発呼指示の通知を行う
請求項１乃至４のいずれか記載のファクシミリ装置。
【発明の詳細な説明】
【技術分野】
【０００１】
本発明は、ファクシミリ装置に関する。
【背景技術】
【０００２】
ファクシミリ装置において、複数の回線を収容し、電話機を用いて各回線から発信して通話が行えるマルチハンドセット機能を有する構成が知られている。
【０００３】
かかるマルチハンドセット機能を実現する構成として、例えば、それぞれに回線を収容する各ファクシミリ（ＦＡＸ）基板の一次側に電話機（ＴＥＬ）端子を設けて電話機を接続し、通話したい回線に接続されている電話機を用いて通話する第１の構成や、各ＦＡＸ基板の二次側にそれぞれＶｏｉｃｅＣＯＤＥＣを設けると共に、各ＦＡＸ基板上の各ＶｏｉｃｅＣＯＤＥＣを切替えるスイッチを介して電話機に接続することにより、１台の電話機を用いていずれかのＦＡＸ基板に対して収容される回線を使用しＶｏｉｃｅＣＯＤＥＣを介して通話する第２の構成が考えられる。
【０００４】
更には、上記第１の構成では、電話機が回線毎に必要となり、また、第２の構成では、ＶｏｉｃｅＣＯＤＥＣが必要でありコスト増を招くという点に鑑みて、第１のＦＡＸ基板の一次側にＴＥＬ端子を設けて電話機を接続すると共に、第１及び第２の各ＦＡＸ基板の一次側には、第１のＦＡＸ基板内のＴＥＬ端子と自ＦＡＸ基板に収容される回線との間を選択的に接続可能に切替え可能な切換スイッチをそれぞれ設ける第３の構成も考えられる。
【０００５】
なお、この種の従来装置における電話通信方式として、下記特許文献１には、ＤＡＡ（Ｄａｔａ  Ａｃｃｅｓｓ  Ａｒｒａｎｇｅｍｅｎｔ）を有するファクシミリ装置において、二次側にハンドセットを接続し、モデムとハンドセットを切替える構成が開示されている。
【０００６】
また、下記特許文献２には、回線電圧を予め設定した閾値と比較して、ダイヤルパルスを認識する技術が開示されている。
【特許文献１】特開２００４−１０４５５７号公報
【特許文献２】特開平３−２８５４４２号公報
【発明の開示】
【発明が解決しようとする課題】
【０００７】
本発明は、１つの電話機を用い、該電話機のダイヤル種別に拘らず、回線種別が異なる複数の収容回線のいずれからも通話可能なファクシミリ装置を提供することを目的とする。
【課題を解決するための手段】
【０００８】
上記目的を達成するために、請求項１記載のファクシミリ装置の発明は、回線を収容する一次側に網制御装置が設けられ、該一次側と電気的に分離される二次側に変復調装置が設けられる複数の画像伝送制御用の基板を有し、前記基板のうちの１つが電話機を収容した主制御基板、他の基板が従制御基板として実装されて成る網インタフェース部を有し、前記主制御基板は、一次側に設けられ、前記電話機と二次側に設けられる給電手段及びダイヤル検出手段または収容した回線との接続を切換える切換手段と、前記電話機を二次側に接続するように前記切換手段を切換え、前記給電手段からの内部給電により動作する前記電話機の発呼操作により入力されるダイヤル番号を前記ダイヤル検出手段により検出させ、該ダイヤル検出手段により検出されたダイヤル番号に基づき、前記変復調装置及び前記網制御装置を介して前記収容回線に対する発呼制御を行う発呼制御手段と、前記主制御基板の収容回線以外の回線により発呼する場合、該回線を収容する前記従制御基板に対し、前記ダイヤル検出手段により検出されたダイヤル番号に基づく発呼指示を通知する通知手段とを具備し、前記従制御基板は、前記通知手段から通知される発呼指示に含まれるダイヤル番号に基づいて前記変復調装置及び前記網制御装置を介して前記収容回線に対する当該従制御基板内での発呼制御を行う従制御基板内発呼制御手段を具備する。
【０００９】
請求項２記載の発明は、上記請求項１記載の発明において、前記切換手段は、一次側と二次側を電気的に分離する離間距離が確保された切換接点構造を有するワイドギャップリレーで構成される。
【００１０】
請求項３記載の発明は、上記請求項１または２記載の発明において、前記ダイヤル検出手段は、プッシュボタン式の前記電話機が前記発呼操作により送出するダイヤルトーン信号〔ＤＴＭＦ（Ｄｕａｌ  Ｔｏｎｅ  Ｍｕｌｔｉｐｌｅ  Ｆｒｅｑｕｅｎｃｙ）〕を受信するＤＴＭＦレシーバを含む。
【００１１】
請求項４記載の発明は、上記請求項１乃至３のいずれか記載の発明において、前記ダイヤル検出手段は、ダイヤル・パルス式の前記電話機が前記発呼操作により送出するダイヤルパルスによるオフフック信号の連続遮断を検出するフック検出手段を含む。
【００１２】
請求項５記載の発明は、上記請求項１乃至４のいずれか記載の発明において、前記各基板に収容される各回線のうちから利用者が指定する任意の回線を選択する回線選択手段を具備し、前記発呼制御手段は、前記回線選択手段により選択された回線が自基板の収容回線である場合に前記発呼指示を行い、前記通知手段は、前記回線選択手段により選択された回線が他のいずれかの前記従制御基板に収容された回線である場合に該従制御基板に対して前記発呼指示の通知を行う。
【００１３】
請求項６記載の発明は、上記請求項１乃至４のいずれか記載の発明において、前記各基板に収容される各回線のうちの空き回線を検出する空き回線検出手段を具備し、前記発呼制御手段は、前記空き回線検出手段により検出された空き回線が自基板の収容回線である場合に前記発呼指示を行い、前記通知手段は、前記空き回線検出手段により検出された回線が他のいずれかの前記従制御基板に収容された回線である場合に該従制御基板に対して前記発呼指示の通知を行う。
【発明の効果】
【００１４】
請求項１記載のファクシミリ装置の発明によれば、各基板毎に、変復調装置及び網制御装置による発呼種別が既にそれぞれの接続回線に合わせてあるため、ＶｏｉｃｅＣＯＤＥＣを設けることなく、主制御基板に接続される１つの電話機を用い、該電話機がダイヤル・パルス方式かプッシュボタン方式かに拘らず、回線種別が異なる複数の収容回線のいずれからも発呼して通話が行なえる。
【００１５】
請求項２記載の発明は、上記請求項１記載の発明において、一次側と二次側を電気的に完全に分離し、一次側でダイヤル入力を受けて二次側から発呼できる。
【００１６】
請求項３記載の発明は、上記請求項１または２記載の発明において、プッシュボタン式電話機を用いて複数の収容回線のいずれからも発呼して通話が行なえる。
【００１７】
請求項４記載の発明は、上記請求項１乃至３のいずれか記載の発明において、ダイヤル・パルス式電話機を用いて複数の収容回線のいずれからも発呼して通話が行なえる。
【００１８】
請求項５記載の発明は、上記請求項１乃至４のいずれか記載の発明において、利用者が希望する任意の回線を選択して通話を行うことができる。
【００１９】
請求項６記載の発明は、上記請求項１乃至４のいずれか記載の発明において、利用者が電話機の受話器を持ち上げてダイヤル入力するだけで空き回線により通話を行うことができる。
【発明を実施するための最良の形態】
【００２０】
以下、本発明の実施形態について添付図面を参照して詳細に説明する。
【００２１】
図１は、本発明に係るファクシミリ装置１０の機能構成を示すブロック図である。
【００２２】
図１に示すように、このファクシミリ装置１０は、装置全体の制御処理を行なう中央処理装置（ＣＰＵ）１１、制御プログラムが使用するワークエリア（装置の動作を制御するシステムデータや各種情報を記憶する）となるＲＡＭ（Ｒａｎｄｏｍ  Ａｃｃｅｓｓ  Ｍｅｍｏｒｙ）１２、ファクシミリ全体を制御するプログラム〔ＲＯＭ（Ｒｅａｄ−Ｏｎｌｙ  Ｍｅｍｏｒｙ）〕を有するシステム制御部１３、タッチパネル等で構成され、使用者がこの装置を動作させるための各種操作（発呼操作等）を行なったり、各種情報を表示するための操作／表示部１４、送信原稿やコピー原稿を読み取る読取部１５、受信した画像データや読取った画像データを記録紙に記録して出力する記録部１６、受信した画像データあるいは読み取った画像データを格納する画像蓄積部１７、画像データに対する符号化、復号化、拡大、縮小等の処理を行う画像処理部１８、伝送制御部１９と網制御部２０を含むネットワーク・インタフェース（ＮＷ  Ｉ／Ｆ）部２１、上述した各機能部の間で相互にデータのやり取りするシステムバス２２を備えて構成される。
【００２３】
このファクシミリ装置１０において、ＮＷ  Ｉ／Ｆ部２１は、公衆回線網〔（例えば、アナログ公衆回線網（ＰＳＴＮ）、あるいはデジタル公衆回線網（ＩＳＤＮ））５０内の複数の電話回線（以下、回線）を収容すると共に、１台の電話機４０を接続し、上記各回線とのファクシミリ通信に係わるインタフェース機能（伝送制御、及び網制御）、並びに上記電話機４０を上記各回線を用いたマルチハンドセットとして運用する際のインタフェース機能（発呼制御、回線接続制御）を具備して構成される。
【００２４】
具体的に、このＮＷ  Ｉ／Ｆ部２１は、以下に述べるように、上記各回線毎に、伝送制御部１９に相当する回路と網制御部２０に相当する回路を半導体集積回路化して実装した複数のファクシミリ制御基板（以下、ＦＡＸ基板と略称）によって実現される。
【００２５】
図２は、本発明のファクシミリ装置１０におけるＮＷ  Ｉ／Ｆ部２１の概略構成を示す図である。
【００２６】
図２に示す如く、ＮＷ  Ｉ／Ｆ部２１は、それぞれが、回線１，２，…，ｎに接続されるＤＡＡ（Ｄｉｒｅｃｔ  Ａｃｃｅｓｓ  Ａｒｒａｎｇｅｍｅｎｔ）３０４（３０４ａ，３０４ｂ，…，３０４ｎ）を有する一次側回路と、該一次側回路に対してアイソレーション（ｉｓｏｌａｔｉｏｎ）が図られ、ＭＯＤＥＭ（ＭＯｄｕｌａｔｏｒ−ＤＥＭｏｄｕｌａｔｅｒ：変復調装置）３０５（３０５ａ，３０５ｂ，…，３０５ｎ）、及び中央処理装置（ＣＰＵ）３０６（３０６ａ，３０６ｂ，…，３０６ｎ）を有する二次側回路とから成るｎ個のＦＡＸ基板３０（３０ａ，３０ｂ，…，３０ｎ）によって構成される。
【００２７】
各ＦＡＸ基板３０において、ＤＡＡ３０４は、上記網制御部２０に相当する半導体集積回路であり、収容する（接続されている）各回線による公衆回線網５０との呼の確立、網接続の制御を行なう。
【００２８】
ＭＯＤＥＭ３０５は、デジタルデータを音声信号に変換して回線に送出すると共に、回線を通じて受信される音声信号をデジタルデータに変換するデータ変復調処理を行う。
【００２９】
ＣＰＵ３０６は、ＭＯＤＥＭ３０５や、ＤＡＡ３０４等、該当するＦＡＸ基板３０内の構成要素全体の動作制御を行う。
【００３０】
ＣＰＵ３０６の制御機能の１つとして、ユーザによる操作／表示部１４での発呼操作に基づき該当するＦＡＸ基板３０内のＤＡＡ３０４により上述した網接続制御を実行せしめ、該網接続制御により接続された相手端末との間でＭＯＤＥＭ３０５を介してＧ３、Ｇ４等のＦＡＸプロトコル手順を実施させるＦＡＸ伝送制御機能（上記伝送制御部１９に相当）がある。
【００３１】
また、本発明において、ＣＰＵ３０６は、ＮＷ  Ｉ／Ｆ部２１に収容される複数の回線を選択的に用いて上記電話機４０をマルチチャネル対応のハンドセットとして運用させるマルチハンドセット機能に係わる発呼制御機能を更に有している。
【００３２】
この発呼制御機能を実現するために、各ＦＡＸ基板３０には、上述したＤＡＡ３０４、ＭＯＤＥＭ３０５等に加え、収容する回線を自ＦＡＸ基板３０内、あるいは他のＦＡＸ基板３０を跨いで上記電話機４０に切換え接続する切換機構（後述のワイドギャップリレー３１１に相当）等、マルチハンドセット通話用の機能要素（図２には開示せず）が更に設けられる。
【００３３】
これらマルチハンドセット通話用の機能要素を含むＮＷ  Ｉ／Ｆ部２１の具体的回路構成について図３を参照して説明する。
【００３４】
図３は、特に、回線１，２を収容し、電話機４０をこれら２つの回線〔２チャンネル（ＣＨ）〕対応のマルチハンドセットとして利用可能にするＮＷ  Ｉ／Ｆ部２１Ｂの構成例を示している。
【００３５】
この例のＮＷ  Ｉ／Ｆ部２１Ｂ（特許請求の範囲における網インタフェース部に相当）は、図３に示す如く、回線１を収容するチャネル１（ＣＨ１）用のＦＡＸ基板（特許請求の範囲における主制御基板に相当）３０ａと、回線２を収容するチャネル２（ＣＨ２）用のＦＡＸ基板（特許請求の範囲における従制御基板に相当）３０ｂとにより構成される。
【００３６】
ＦＡＸ基板３０ａには、上述した各機能構成を有するＤＡＡ（特許請求の範囲における網制御装置に相当）３０４ａ，ＭＯＤＥＭ（特許請求の範囲における変復調装置に相当）３０５ａ及びＣＰＵ３０６ａの他、電話機４０を接続する電話機接続端子（ＴＥＬ端子）３０１、回線１を接続する回線接続端子（ＬＩＮＥ１端子）３０２ａ、ＦＡＸ基板３０ｂへの電話機接続用の延長線を接続する延長線接続端子３０３ａ、ＴＥＬ端子３０１を介して電話機４０に接続される接点Ｓ１１，Ｓ１１と、接点Ｓ１２，Ｓ１２または接点Ｓ１３，Ｓ１３を選択的に切換え可能なワイドギャップリレー３１１（特許請求の範囲における切換手段に相当）、ワイドギャップリレー３１１の接点Ｓ１３，Ｓ１３に接続される接点Ｓ２１，Ｓ２１と、延長線接続端子３０３ａへ繋がる引回し線に接続される接点Ｓ２２，Ｓ２２または回線１に接続される接点Ｓ２３，Ｓ２３を選択的に切換え可能なリレー３１２、ＴＥＬ端子３０１とワイドギャップリレー３１１ａの接点Ｓ１１，Ｓ１１間の電話機接続経路中に接続され、電話機４０のオンフック状態とオフフック状態を検出するフック検出器３１３、ワイドギャップリレー３１１ａの接点Ｓ１２，Ｓ１２に接続され、該ワイドギャップリレー３１１ａが電話機４０を二次側回路へ切換接続している時に該電話機４０に対して、例えば、２４ボルト（Ｖ）の正（＋）の電圧を給電する給電部（特許請求の範囲の給電手段に相当）３１４、該給電部３１４と後述するダイヤル検出部３１６間の線路に介挿されるコンデンサ３１５、ワイドギャップリレー３１１ａの接点Ｓ１２，Ｓ１２に接続され、該ワイドギャップリレー３１１ａが電話機４０を二次側回路へ切換接続している時に電話機４０でのユーザによる発呼操作に基づく入力ダイヤル番号を検出するダイヤル検出部（特許請求の範囲におけるダイヤル検出手段に相当）３１６、ダイヤル検出部３１６が検出した入力ダイヤル番号を記憶するダイヤル記憶部３１７が設けられる。
【００３７】
ワイドギャップリレー３１１ａは、接点Ｓ１１,Ｓ１１と接点Ｓ１２,Ｓ１２及び接点Ｓ１３,Ｓ１３とが、ＦＡＸ基板３０ａにおける一次側と二次側を電気的に完全に切り離す（分離する）のに充分に長い離間距離（ワイドギャップ）が確保された接点構造を有する。
【００３８】
リレー３１２も、ワイドギャップリレー３１１ａと同等の接点構造を有するワイドギャップリレーで構成しても良い。
【００３９】
ダイヤル検出部３１６、ダイヤル記憶部３１７は、二次側に設けられ、上記ワイドギャップリレー３１１により一側とは電気的に絶縁されている。
【００４０】
ダイヤル検出部３１６は、プッシュボタン（ＰＢ）式の電話機が発呼操作により送出するダイヤルトーン信号〔ＤＴＭＦ（Ｄｕａｌ  Ｔｏｎｅ  Ｍｕｌｔｉｐｌｅ  Ｆｒｅｑｕｅｎｃｙ）〕を受信するＤＴＭＦレシーバを有する。
【００４１】
また、ダイヤル検出部３１６は、ダイヤル・パルス（ＤＰ）式の電話機が発呼操作により送出するダイヤル・パルスによるオフフック信号の連続遮断を検出するフック検出手段を有する。
【００４２】
本実施例では、フック検出手段としてフック検出器３１３が用いられ、例えば、フォトカプラや電流センサによって実現される。
【００４３】
かかる構成を有するダイヤル検出器３１６では、電話機４０がＰＢ式の電話機である場合には、該電話機４０から送出されるダイヤルトーン信号から上記ＤＴＭＦレシーバによりダイヤル番号を検出し、電話機４０がＤＰ式の電話機である場合には、該電話機４０から送出されるＤＰ信号からフック検出器３１３を介して上記フォトカプラや電流センサによってダイヤル番号を検出する。
【００４４】
ＣＰＵ３０６ａは、ワイドギャップリレー３１１ａ及びリレー３１２を切換制御する機能、ワイドギャップリレー３１１ａを電話機４０が二次側回路へ接続されるように切換制御している時に、電話機４０による発呼動作に基づきダイヤル検出部３１６により検出され、ダイヤル記憶部３１７に記憶されたダイヤル番号に基づき二次側回路内のＭＯＤＥＭ３０６ａに当該ダイヤル番号に基づく発呼を指示し、該ＭＯＤＥＭ３０６ａ及び一次側回路内のＤＡＡ３０４ａを介してＬＩＮＥ１端子３０２ａに接続された回線１に対する発呼の制御を行う発呼制御機能（特許請求の範囲における発呼制御手段に相当）、該発呼制御機能による回線１に対する発呼により相手側端末装置が着呼応答すると、ワイドギャップリレー３１１ａ、及びリレー３１２を切換制御して電話機４０を回線１に接続する制御機能、回線１が使用不能（ビジー等）で回線２が空いている場合（主制御基板の収容回線以外の回線により発呼する場合）、該回線２を収容するＦＡＸ基板３０ｂのＣＰＵ３０６ｂに対して、上記ダイヤル記憶部３１７に記憶されたダイヤル番号に基づく発呼指示を通知する（ＣＰＵ３０６ａとＣＰＵ３０６ｂは該通知を行うための線路で接続されている）発呼指示通知機能（特許請求の範囲における通知手段に相当）を具備して構成される。
【００４５】
また、ＦＡＸ基板３０ｂには、上述した各機能構成から成るＤＡＡ３０４ｂ，ＭＯＤＥＭ３０５ｂ及びＣＰＵ３０６ｂの他、回線２を接続する回線接続端子（ＬＩＮＥ２端子）３０２ｂ、ＦＡＸ基板３０ａからの電話機接続用の延長線を接続する延長線接続端子３０３ｂ、回線２に接続される接点Ｓ３１，Ｓ３１と延長線接続端子３０３ｂに接続される接点Ｓ３２，Ｓ３２または接点Ｓ３３，Ｓ３３を選択的に切換え可能なワイドギャップリレー３１１ｂが設けられる。
【００４６】
ワイドギャップリレー３１１ｂは、ＦＡＸ基板３０ａ上のワイドギャップリレー３１１ａと同様、接点Ｓ３１,Ｓ３１と接点Ｓ３２,Ｓ３２及び接点Ｓ３３,Ｓ３３とが、ＦＡＸ基板３０ｂにおける一次側と二次側を電気的に完全に切り離すのに充分に長い離間距離（ワイドギャップ）が確保された接点構造を有する。
【００４７】
ＣＰＵ３０６ｂは、ワイドギャップリレー３１１ｂを切換制御する機能、ＦＡＸ基板３０ａのＣＰＵ３０６ａ内の上記発呼指示通知機能によるダイヤル番号及び発呼指示の通知を受付けて、該通知されたダイヤル番号に基づき二次側回路内のＭＯＤＥＭ３０６ｂに当該ダイヤル番号に基づく発呼を指示し、該ＭＯＤＥＭ３０６ｂ及び一次側回路内のＤＡＡ３０４ｂを介してＬＩＮＥ２端子３０２ｂに接続された回線２に対する発呼の制御を行う発呼制御機能（特許請求の範囲における従制御基板発呼制御手段に相当）を具備して構成される。
【００４８】
次に、上記ＮＷ  Ｉ／Ｆ２１Ｂ（図３参照）を実装する本発明に係わるファクシミリ装置１０のマルチハンドセット通話動作について図４乃至図６を参照して詳しく説明する。
【００４９】
図４は、上記マルチハンドセット通話動作におけるＣＨ１対応のＦＡＸ基板３０ａ（ＣＰＵ３０６ａ）での発呼制御動作を示すフローチャートである。
【００５０】
図５は、上記マルチハンドセット通話動作におけるＣＨ２対応のＦＡＸ基板３０ｂ（ＣＰＵ３０６ｂ）での発呼制御動作を示すフローチャートである。
【００５１】
図６は、ＣＨ１対応のＦＡＸ基板３０ａ（ＣＰＵ３０６ａ）とＣＨ２対応のＦＡＸ基板３０ｂ（ＣＰＵ３０６ｂ）の回路構成を用いて図４及び図５のフローチャートに沿った各処理の流れを示す動作説明図である。
【００５２】
図６において、図４及び図５のフローチャート中の各処理ステップに対応する処理ステップにはそれぞれ同一のステップ符号を付している。
【００５３】
図４及び図５に示す発呼制御動作を行うに際し、ファクシミリ装置１０では、待機中（停電時を除く定常時）、ＦＡＸ基板３０ａにおいて、ＣＰＵ３０６ａは、ワイドギャップリレー３１１ａを電話機４０を図３に実線で示す状態〔電話機４０が二次側に接続される状態（接点Ｓ１１,Ｓ１１と接点Ｓ１２，Ｓ１２とが接続された状態）〕に切換制御している。
【００５４】
なお、以下の説明では、ワイドギャップリレー３１１ａを電話機４０を二次側に接続する切換制御を待機時に行うことを前提としているが、これに限らず、電話機４０からの発呼時（停電時を除く）に実施するようにしても良い。
【００５５】
ワイドギャップリレー３１１ａの上記切換制御により、ＦＡＸ基板３０ａ内では給電部３１４から＋２４Ｖの電圧が電話機４０に対して給電され、電話機４０は該給電を受けて発呼動作等の動作が可能となる。
【００５６】
上記待機状態において、ファクシミリ装置１０（ＦＡＸ基板３０ａのＣＰＵ３０６ａ）では、図４に示す如く、電話機４０のフックスイッチ（図示せず）がフックオフされたか否かを監視している（ステップＳ１０１）。
【００５７】
ここで、ユーザが電話機４０の受話器を持ち上げることによりフック検出器３１３で電話機４０がオフフックされたことが検出されると（ステップＳ１０１ＹＥＳ）、ＣＰＵ３０６ａは、ＦＡＸ基板３０ａに収容される回線１、及びＦＡＸ基板３０ｂに収容される回線２のいずれか一方または双方が空いているか否かをチェックする（ステップＳ１０２）。
【００５８】
ここで、回線１及び回線２の双方が空いていない場合（ステップＳ１０２ＮＯ）、ＣＰＵ３０６ａは電話機４０に対して擬似ビジートーンを送出し（ステップＳ１３１）、ユーザが発呼を停止する（ステップＳ１３２ＹＥＳ）のを待って待機状態に復帰する。
【００５９】
これに対し、回線１及び回線２のいずれか一方または双方が空いている場合（ステップＳ１０２ＹＥＳ）、ＣＰＵ３０６ａは電話機４０に対して擬似ダイヤルトーンを送出し（ステップＳ１０３）、電話機４０からのダイヤル入力受付処理に移行する。
【００６０】
ここで、ユーザが電話機４０を操作して相手端末装置の一連の電話番号（ダイヤル番号）を入力すると、該入力された一連の電話番号がワイドギャップリレー３１１ａを介してダイヤル検出部３１６に送られる。
【００６１】
ダイヤル検出部３１６は、電話機４０から送出されるダイヤル番号を取り込んで該ダイヤル番号を検出し（ステップＳ１０４、Ｓ１０５）、該検出したダイヤル番号をダイヤル記憶部３１７に記憶する（ステップＳ１０６）。
【００６２】
上記ステップＳ１０５でダイヤル検出部３１６が検出した一連の電話番号をダイヤル記憶部３１７に記憶し終えると（ステップＳ１０６）、次いで、ＣＰＵ３０６ａは、上記ステップＳ１０２で空き回線として認識された回線が回線１であるか否かをチェックする（ステップＳ１０７）。
【００６３】
ここで、空き回線が回線１であると判定された場合（ステップＳ１０７ＹＥＳ）、ＣＰＵ３０６ａは、ダイヤル記憶部３１７に記憶されているダイヤル番号に基づき当該ＦＡＸ基板３０ａ内のＭＯＤＥＭ３０５ａに対して発呼することを指示し（ステップＳ１０８）、該ＦＡＸ基板３０ａ内のＭＯＤＥＭ３０５ａ、ＤＡＡ３０４ａを介してＬＩＮＥ１端子３０２ａに接続された回線１に対して発呼させるように制御する（ステップＳ１０９）。
【００６４】
上記ステップＳ１０９での発呼に対して相手端末装置が着呼応答すると、ＣＰＵ３０６ａは、ワイドギャップリレー３１１ａを図３に点線で示す状態〔電話機４０がリレー３１２に接続される状態（接点Ｓ１１,Ｓ１１と接点Ｓ１３，Ｓ１３とが接続された状態）〕に切換制御し、かつ、リレー３１２を図３に実線で示す状態（接点Ｓ２１,Ｓ２１と接点Ｓ２３，Ｓ２３とが接続された状態）に切換制御することにより、ＴＥＬ端子３０１に接続されている電話機４０をワイドギャップリレー３１１ａ、リレー３１２を介して（ＤＡＡ３０４ａよりＬＩＮＥ１端子寄りの位置で）回線１に接続する（ステップＳ１１０）。
【００６５】
以後、電話機４０は回線１からの給電を受けて動作し、ユーザは、該電話機４０により回線１を介して接続された相手端末装置との通話が行なえる（ステップＳ２０１）。
【００６６】
この間、ＣＰＵ３０６ａは、フック検出器３１３が検出する電話機４０のフック状態から回線１での通話が終了したか否かを監視し（ステップＳ１１１）、電話機４０のオンフック検出により回線１での通話終了したことが検出されると（ステップＳ１１１ＹＥＳ）、待機状態に復帰する。
【００６７】
これに対し、上記ステップＳ１０７において、空き回線が回線１ではないと判定された場合（ステップＳ１０７ＮＯ）、ＣＰＵ３０６ａは、ＦＡＸ基板３０ｂ内のＣＰＵ３０６ｂに対して、ダイヤル記憶部３１７に記憶されているダイヤル番号と発呼指示を通知する（ステップＳ１２１）。
【００６８】
また、このダイヤル番号及び発呼指示の通知に際し、ＣＰＵ３０６ａは、ワイドギャップリレー３１１ａ、及びリレー３１２を共に図３に点線で示す状態に切換制御する（ステップＳ１２２）。
【００６９】
その後、上記ステップＳ１２１での発呼指示の通知を受けたＦＡＸ基板３０ｂ側のＣＰＵ３０６Ｂの制御（図５を参照して後で詳しく述べる）によって電話機４０を用いた回線２による相手端末装置との通話が行なわれる（ステップＳ２１１）。
【００７０】
この間、ＣＰＵ３０６ａは、電話機４０のフック状態から回線２での通話が終了したか否かを監視し（ステップＳ１２３）、電話機４０のオンフック検出により通話終了したことが検出されると（ステップＳ１２３ＹＥＳ）、待機状態に復帰する。
【００７１】
他方、ＦＡＸ基板３０ｂのＣＰＵ３０６ｂでは、上記ステップＳ１２１でのＦＡＸ基板３０ａのＣＰＵ３０６からの発呼指示に基づき、図５に示す如くの発呼制御を行う。
【００７２】
図５において、ＦＡＸ基板３０ｂのＣＰＵ３０６ｂは、図４のステップＳ１２１の処理によって、ＦＡＸ基板３０ａのＣＰＵ３０６ａからダイヤル記憶部３１７に記憶されているダイヤル番号を含む発呼指示の通知があったか否かを監視している（ステップＳ１４１）。
【００７３】
ここで、ＦＡＸ基板３０ａのＣＰＵ３０６ａからダイヤル番号を含む発呼指示の通知があると（ステップＳ１４１ＹＥＳ）、ＣＰＵ３０６ｂは、該通知されたダイヤル番号を一旦保持したうえで、該保持したダイヤル番号に基づき当該ＦＡＸ基板３０ｂ内のＭＯＤＥＭ３０５ｂに対して発呼することを指示し（ステップＳ１４２）、該ＦＡＸ基板３０ｂ内のＭＯＤＥＭ３０５ｂ、ＤＡＡ３０４ｂを介してＬＩＮＥ２端子３０２ｂに接続された回線２に対して発呼させるように制御する（ステップＳ１４３）。
【００７４】
上記ステップＳ１４３での発呼に対して相手端末装置が着呼応答すると、ＣＰＵ３０６ｂは、ワイドギャップリレー３１１ｂを図３に実線で示す状態（接点Ｓ３１,Ｓ３１と接点Ｓ３２，Ｓ３２とが接続された状態）〕に切換制御する。
【００７５】
このワイドギャップリレー３１１ｂの切換制御と、ＦＡＸ基板３０ａ内のＣＰＵ３０ａが図４のステップＳ１２２で行うワイドギャップリレー３１１ａ及びリレー３１２の切換制御とにより、ＦＡＸ基板３０ａ内のＴＥＬ端子３０１に接続されている電話機４０は、ワイドギャップリレー３１１ａ、リレー３１２、延長線端子３０３ａへの引回し線、延長線端子３０３ａから延長線端子３０３ｂへの延長線、ＦＡＸ基板３０ｂ内の延長線端子３０３ｂ及びワイドギャップリレー３１１ｂを介して（ＤＡＡ３０４ｂよりＬＩＮＥ２端子寄りの位置で）当該ＦＡＸ基板３０ｂのＬＩＮＥ２端子３０２ｂに収容される回線２に接続される（ステップＳ１４４）。
【００７６】
以後、電話機４０は回線２からの給電を受けて動作し、ユーザは、該電話機４０により回線２を介して接続された相手端末装置との通話が行なえる（ステップＳ２１１）。
【００７７】
この間、ＣＰＵ３０６ｂは、例えば、ＦＡＸ基板３０ａのＣＰＵ３０６ａから図４のステップＳ１２３における検出結果を受け取って回線２での通話が終了したか否かを監視し（ステップＳ１４５）、回線２での通話終了したことが検出されると（ステップＳ１４５ＹＥＳ）、待機状態に復帰する。
【００７８】
次に、図４及び図５に示すフローチャートに基づく発呼制御の具体例について図６を参照して説明する。
【００７９】
図６において、電話機４０がＰＢ式電話機である場合、該電話機４０でのオフフック（ステップＳ１０１）後、空き回線があると、ユーザからのダイヤル番号（ダイヤルトーン信号）の入力が受付けられ（ステップＳ１０４）、ダイヤル検出部３１６のＤＴＭＦレシーバ（不図示）により該ダイヤル番号が検出され（ステップＳ１０５）、ダイヤル記憶部３１７に記憶される（ステップＳ１０６）。
【００８０】
空き回線が回線１である場合、ＣＨ１側のＣＰＵ３０６ａによりダイヤル記憶部３１７からダイヤル番号が読み出され、ＭＯＤＥＭ３０５ａに対して発呼が指示される（ステップＳ１０８）。
【００８１】
該発呼指示に基づき、指定されたダイヤル番号に基づいてＭＯＤＥＭ３０５ａ、ＤＡＡ３０４ａを介して回線１に対する発呼がなされ（ステップＳ１０９）、相手端末装置が応答すると、ワイドギャップリレー３１１ａ、及びリレー３１２の切換制御（ステップＳ１１０）によって電話機４０が回線１に接続され、相手端末装置の通話が可能になる。
【００８２】
空き回線が回線２である場合、ＣＨ１側のＣＰＵ３０６ａからＣＨ２側のＣＰＵ３０６ｂに対して、ダイヤル記憶部３１７に記憶されたダイヤル番号に基づく発呼の指示が通知される（ステップＳ１２１）。
【００８３】
ＣＨ２側のＣＰＵ３０６ｂは、ＣＨ１側のＣＰＵ３０６ａから通知されたダイヤル番号を保持すると共に、該ダイヤル番号が読み出され、ＭＯＤＥＭ３０５ｂに対して発呼が指示される（ステップＳ１４２）。
【００８４】
該発呼指示に基づき、ＣＨ１側のＣＰＵ３０６ａから通知されたダイヤル番号に基づいてＭＯＤＥＭ３０５ｂ、ＤＡＡ３０４ｂを介して回線２に対する発呼がなされ（ステップＳ１４３）、相手端末装置が応答すると、ワイドギャップリレー３１１ｂの切換制御（ステップＳ１４４）によって電話機４０が回線２に接続され、相手端末装置の通話が可能になる。
【００８５】
電話機４０がＤＰ式電話機である場合、ダイヤル検出部３１６でのダイヤル番号の検出処理を除いてＰＢ電話機である場合と同様の発呼制御が行なわれる。
【００８６】
すなわち、電話機４０がＤＰ式電話機である場合は、該電話機４０でのオフフック（ステップＳ１０１）後、空き回線があることにより、ユーザからのダイヤル番号の入力が受付けられる（ステップＳ１０４）が、その際、電話機４０から入力ダイヤル番号に対応するダイヤルパルス信号が送出される。
【００８７】
ここで、フック検出器３１３がフォトカプラで構成されている場合、該フォトカプラにおいて、電話機４０から入力されるダイヤルパルス信号に基づくフック信号の連続遮断により発光素子が非遮断のタイミングにのみ発光され、その光の受光素子での受光出力が得られると共に、該受光出力がダイヤル検出部３１６に入力される。
【００８８】
また、フック検出器３１３が電流センサで構成されている場合、電話機４０から入力されるダイヤルパルス信号に基づくフック信号の連続遮断により非遮断のタイミングにのみ電流センサで電流値が検出され、該検出電流値がダイヤル検出部３１６に入力される。
【００８９】
ダイヤル検出部３１６では、上記フォトカプラの受光出力、及び電流センサの検出電流値に基づきこの時のダイヤルパルス信号に対応するダイヤル番号を検出する。
【００９０】
本発明によれば、電話機４０がＰＢ式電話機、あるいはＤＰ式電話機のいずれであっても、該電話機４０からの入力ダイヤル番号を検出し、記憶したうえで、ＣＨ１側、ＣＨ２側双方とも、該ダイヤル番号に基づき二次側のＭＯＤＥＭ３０５、一次側のＤＡＡ３０４を介して発呼がなされる。
【００９１】
ここで、ＭＯＤＥＭ３０５、ＤＡＡ３０４経由での発呼種別は、既に、ＣＨ毎に、該ＣＨへの接続回線に合わせて設定されているものであり、発呼元の電話機４０がＰＢ式電話機、あるいはＤＰ式電話機のいずれであっても各ＣＨ収容の回線への発呼が行なえる（電話機４０の種別によって、発呼できる回線と発呼できない回線が生ずることはない）。
【００９２】
なお、上記実施例では、各ＦＡＸ基板に収容される各回線のうちの空き回線を検出する空き回線検出手段を設け（例えば、主制御基板３０ａのＣＰＵ３０６ａに設ける）、該ＣＰＵ３０６ａは、空き回線検出手段により検出された空き回線が自基板の収容回線（回線１）である場合にＭＯＤＥＭ３０５ａ、ＤＡＡ３０４ａ経由の発呼指示を行い、空き回線検出手段により検出された回線が他のいずれかの従制御基板に収容された回線（回線２）である場合に該従制御基板に対して検出されたダイヤル番号に基づく発呼指示の通知を行う構成（特許請求の範囲の請求項６参照）を挙げているが、変形例として、通話した回線をユーザが任意に選択して電話機４０を接続する構成としても良い。
【００９３】
図７は、この変形例に係わるファクシミリ装置（便宜的に、１０Ｂと呼称）でのマルチハンドセット通話動作におけるＣＨ１対応のＦＡＸ基板３０ａ（ＣＰＵ３０６ａ）での発呼制御動作を示すフローチャートである。
【００９４】
図７において、図４中に示す各処理ステップと同様の処理ステップには同一のステップ符号を付している。
【００９５】
図７に示すように、変形例に係わるファクシミリ装置１０Ｂにおいては、ステップＳ１４１、Ｓ１０２ｂ及びＳ１０７ｂについて上記実施例に係わるファクシミリ装置１０と異なる処理を行う。
【００９６】
すなわち、変形例に係わるファクシミリ装置１０Ｂにおいて、ＦＡＸ基板３０ａのＣＰＵ３０６ａは、電話機４０のフックオフが検出された後（ステップＳ１０１ＹＥＳ）、接続しようとする回線の選択を受付ける（ステップＳ１４１）。
【００９７】
この回線選択受付け処理は、例えば、操作／表示部１４の表示パネル上に選択対象となる回線を含む回線選択画面を表示し、該回線選択画面上でユーザより指定された回線を選択回線として受付けることにより実現できる。
【００９８】
ユーザによる上記回線の選択を受付けた後、ＣＰＵ３０６ａは、該選択された回線が空いているか否かをチェックし（ステップＳ１０２ｂ）、空いていない場合には（ステップＳ１０２ｂＮＯ）、ステップＳ１３１以降の処理を実施し、空いている場合には（ステップＳ１０２ｂＹＥＳ）、電話機４０から入力されるダイヤルを検出し、記憶させる（ステップＳ１０３〜Ｓ１０６）。
【００９９】
引き続き、ＣＰＵ３０６ａは、上記ステップＳ１４１でユーザにより選択された回線が回線１であるか否かをチェックし（ステップＳ１０７ｂ）、ユーザにより選択された回線が回線１である場合は（ステップＳ１０７ｂＹＥＳ）、ステップＳ１０８以降の処理を実施し、他方、ユーザにより選択された回線が回線２である場合は（ステップＳ１０７ｂＮＯ）、ステップＳ１２１以降の処理を実施する。
【０１００】
これに対し、ＣＨ２対応のＦＡＸ基板３０ｂのＣＰＵ３０６ｂでは、図７に示すステップＳ１２１でのＣＨ１対応のＦＡＸ基板３０ａのＣＰＵ３０６ａからの発呼指示に基づき、図５に示す如くの発呼制御（上記実施例のファクシミリ装置１０と同等の発呼制御）を行う。
【０１０１】
この変形例のファクシミリ装置１０Ｂによれば、各ＦＡＸ基板に収容される各回線のうちから利用者が指定する任意の回線を選択する回線選択手段を設け（例えば、主制御基板３０ａのＣＰＵ３０６ａに設ける）、該ＣＰＵ３０６ａは、回線選択手段により選択された回線が自基板の収容回線（回線１）である場合にＭＯＤＥＭ３０５ａ、ＤＡＡ３０４ａ経由の発呼指示を行い、回線選択手段により選択された回線が他のいずれかの従制御基板（３０ｂ）に収容された回線（回線２）である場合に該従制御基板に対して検出されたダイヤル番号に基づく発呼指示の通知を行う構成（特許請求の範囲の請求項５参照）としてことにより、ユーザは、ＮＷ  Ｉ／Ｆ部２１Ｂに収容された複数の回線の中の任意の回線を選んで通話を行うことができる。
【０１０２】
この他、本発明は、上記し、且つ図面に示す実施例に限定することなく、その要旨を変更しない範囲内で適宜変形して実施できるものである。
【０１０３】
例えば、上記実施例では、２つの回線を収容して電話機４０をマルチハンドセット運用する例を挙げたが、本発明は、これに限らず、３つ以上の回線を収容し、そのうちの電話機４０を収容する１つの基板で、ユーザが指定した回線を選択することにより、あるいは、空き回線を自動選択することにより該選択された回線、あるいは空き回線により発呼させることでマルチハンドセット機能を実現する構成にも適用できる。
【産業上の利用可能性】
【０１０４】
本発明は、複数の回線を収容し、１つの電話機でマルチハンドセット機能を実現するファクシミリ装置に適用できる。
【図面の簡単な説明】
【０１０５】
【図１】本発明に係るファクシミリ装置の機能構成を示すブロック図。
【図２】本発明のファクシミリ装置におけるＮＷ  Ｉ／Ｆ部の概略構成を示す図。
【図３】本発明に係わるＮＷ  Ｉ／Ｆ部の具体的回路構成を示す図。
【図４】ＣＨ１対応のＦＡＸ基板での発呼制御動作を示すフローチャート。
【図５】ＣＨ２対応のＦＡＸ基板での発呼制御動作を示すフローチャート。
【図６】図４及び図５のフローチャートに沿った各処理の流れを示す動作説明図。
【図７】変形例に係わるＣＨ１対応ＦＡＸ基板の発呼制御動作を示すフローチャート。
【符号の説明】
【０１０６】
１０…ファクシミリ装置、１１…中央処理装置（ＣＰＵ）、１２…ＲＡＭ（ランダム・アクセス・メモリ）、１３…システム制御部、１４…操作／表示部、１５…読取部、１６…記録部、１７…画像蓄積部、１８…画像処理部、１９…伝送制御部、２０…網制御部、２１，２１Ｂ…ネットワーク・インタフェース（ＮＷ  Ｉ／Ｆ）部、３０ａ，３０ｂ…ファクシミリ（ＦＡＸ）制御基板、３０２ａ，３０２ｂ…回線接続端子、３０４ａ，３０４ｂ…ＤＡＡ（Ｄａｔａ  Ａｃｃｅｓｓ  Ａｒｒａｎｇｅｍｅｎｔ）、３０５ａ，３０５ｂ…ＭＯＤＥＭ（変復調装置）、３０６ａ，３０６ｂ…ＣＰＵ（中央処理装置）、３１１ａ，３１１ｂ…ワイドギャップリレー、３１２…リレー、３１３…フック検出器、３１４…給電部、３１６…ダイヤル検出部、３１７…ダイヤル記憶部、２２…システムバス、４０…電話機、５０…公衆回線網
【図１】
2010177769.tif 000003
【図２】
2010177769.tif 000004
【図３】
2010177769.tif 000005
【図４】
2010177769.tif 000006
【図５】
2010177769.tif 000007
【図６】
2010177769.tif 000008
【図７】
2010177769.tif 000009